(57)【要約】【課題】器本体の収納部に電解ユニットを収めると同時にこの収納部の蓋が閉められ、器本体の収納部の蓋を開くと同時に電解ユニットを取り出すことができるイオン水生成器を提供する。【解決手段】器本体１の内部に形成した収納部２に着脱自在とした略直方体形状の電解ユニット３に、この電解ユニット３が収納部２に収納された状態において、前記収納部２の開口２ａを閉鎖する蓋４を設けたものとしている。そして、前記収納部２を器本体１の上面から内部にかけて形成したものとし、前記蓋４を電解ユニット３の上面に設けたものとすることができる。さらに、前記収納部２を器本体１の側面から内部にかけて形成したものとし、前記蓋４を電解ユニット３の側面に設けたものとすることができる。【選択図】        図１
2004160410.tif 000002
【特許請求の範囲】
【請求項１】
器本体（１）の内部に形成した収納部（２）に着脱自在とした略直方体形状の電解ユニット（３）に、この電解ユニット（３）が収納部（２）に収納された状態において、前記収納部（２）の開口（２ａ）を閉鎖する蓋（４）を設けたものとしたことを特徴とするイオン水生成器。
【請求項２】
前記収納部（２）を器本体（１）の上面から内部にかけて形成したものとし、前記蓋（４）を電解ユニット（３）の上面に設けたものとしたことを特徴とする請求項１記載のイオン水生成器。
【請求項３】
前記収納部（２）を器本体（１）の側面から内部にかけて形成したものとし、前記蓋（４）を電解ユニット（３）の側面に設けたものとしたことを特徴とする請求項１記載のイオン水生成器。
【発明の詳細な説明】
【０００１】
【発明の属する技術分野】
この発明は、水道水を電気分解してアルカリイオン水と酸性イオン水とを生成するイオン水生成器に関するものである。
【０００２】
【従来の技術】
この種のイオン水生成器は、水道水に食塩や塩化カリウム等の電解質を加えて電気分解するための電解槽を内蔵した電解ユニットを、本体内部に備えたものとしている。この電解ユニットに内蔵された電解槽は、陽電極を設けた陽極室と陰電極を設けた陰極室からなるものとしているが、イオン水生成器を長期間にわたり使用していると、その陽電極および陰電極が劣化し、電解効率が徐々に低下していく。
【０００３】
このような場合、メーカや販売業者が、前記電解ユニットを定期的に回収して洗浄すればよいが、一般家庭や飲食店等に設置されたイオン水生成器の電解ユニットを個々に回収していくのは非能率的であり、採算がとれない。
【０００４】
そこで、この種のイオン水生成器においては、前記電解ユニットは消耗品であるという位置付けにし、エンドユーザでも電解ユニットを簡単に交換することができる構造にしたものが考えられている。
【０００５】
従来、このようなイオン水生成器としては、例えば図５に示したように、器本体２１に電解ユニット２２が取り外し可能に内蔵されている。すなわち、電解ユニット２２は、水道水を電気分解してアルカリイオン水と酸性イオン水とを生成する電解槽２３を有すると共に、給水管２４、アルカリイオン水吐出管２５、酸性イオン水吐出管（図示せず）、器本体２１からの電流を受電するための端子（図示せず）、およびこの電解ユニット２２を器本体２１に固定するための突起２７等が設けられている。
【０００６】
これに対し前記イオン水生成器側には、器本体２１に電解ユニット２２を収めるための収納部２８と、この収納部２８を開閉する蓋２９が設けられて、蓋２９を開いた状態から収納部２８に設けられている給水管挿入孔３０に前記給水管２４を挿入し、アルカリイオン水吐出管挿入孔３１に前記アルカリイオン水吐出管２５を挿入し、酸性イオン水吐出管挿入孔３２に酸性イオン水吐出管（図示せず）を挿入し、ダミー孔３３に前記突起２７を挿入し、電流供給用の端子３４に前記端子（図示せず）を接続するように電解ユニット２２を収納部２８に収めることによって、この電解ユニット２２の装着がなされ、また前記挿入ならびに接続を断つことによって電解ユニット２２の取り外しができるように構成されている（特許文献１参照）。
【０００７】
【特許文献】
特開平６−１４２６５１号公報（第２頁右欄、図１）
【０００８】
【発明が解決しようとする課題】
しかしながら、上記従来のイオン水生成器は、器本体２１に電解ユニット２２を収めるための収納部２８と、この収納部２８を開閉する蓋２９が設けられているため、この蓋２９を開いた状態にしてからでないと、電解ユニット２２を収納部２８から取り出すことができず、また電解ユニット２２を収納部２８に収めた後に、前記蓋２９を閉めた状態にしなければならず、この蓋２９の開閉操作が面倒であるという課題を有していた。
【０００９】
そこで、この発明は、上記従来の課題を解決するものであり、器本体の収納部に電解ユニットを収めると同時にこの収納部の蓋が閉められ、器本体の収納部の蓋を開くと同時に電解ユニットを取り出すことができるイオン水生成器を提供することを目的としてなされたものである。
【００１０】
【課題を解決するための手段】
そのため、この発明のイオン水生成器は、器本体１の内部に形成した収納部２に着脱自在とした略直方体形状の電解ユニット３に、この電解ユニット３が収納部２に収納された状態において、前記収納部２の開口２ａを閉鎖する蓋４を設けたものとしている。
【００１１】
そして、この発明のイオン水生成器は、前記収納部２を器本体１の上面から内部にかけて形成したものとし、前記蓋４を電解ユニット３の上面に設けたものとすることができる。
【００１２】
さらに、この発明のイオン水生成器は、前記収納部２を器本体１の側面から内部にかけて形成したものとし、前記蓋４を電解ユニット３の側面に設けたものとすることができる。
【００１３】
【発明の実施の形態】
以下、この発明のイオン水生成器の実施の形態を、図面に基づいて詳細に説明する。
【００１４】
図１、２は、この発明のイオン水生成器の一実施形態を示しており、器本体１の内部に上面側から収納部２を形成しており、この収納部２に着脱自在とした略直方体形状の電解ユニット３の上面に、この電解ユニット３が収納部２に収納された状態において、前記収納部２の開口２ａを閉鎖する蓋４を設けたものとしている。
【００１５】
図３、４は、この発明のイオン水生成器の他の実施形態を示しており、器本体１の内部に側面側から収納部２を形成しており、この収納部２に着脱自在とした略直方体形状の電解ユニット３の側面に、この電解ユニット３が収納部２に収納された状態において、前記収納部２の開口２ａを閉鎖する蓋４を設けたものとしている。
【００１６】
前記器本体１には、前面に電源スイッチやイオン水のｐＨ調節用のスイッチ類Ｓが配された操作パネルＰが取り付けられており、上面に水道水の給水ホースＨが取り付けられている。
【００１７】
前記収納部２は、略直方体形状の電解ユニット３が収納できるように、この電解ユニット３より少し大きくした略直方体形状の凹部としており、図１、２に示したものではその底面に、図３、４に示したものではその側面に、給水管挿入孔５、アルカリイオン水吐出管挿入孔６、酸性イオン水吐出管挿入孔７、電解ユニット３に電流を供給するために端子８および電解ユニット３を固定するためのダミー孔９を設けたものとしている。
【００１８】
前記電解ユニット３は、図示していないが、内部に電解槽が設けられており、図１、２に示したものではその底面に、図３、４に示したものではその側面に、前記収納部２に設けられた給水管挿入孔５、アルカリイオン水吐出管挿入孔６、酸性イオン水吐出管挿入孔７、端子８およびダミー孔９の対応する位置にそれぞれ、給水管１０、アルカリイオン水吐出管１１、酸性イオン水吐出管１２、器本体１からの電流を受電するための端子１３および器本体１に固定するための突起１４を設けたものとしている。
【００１９】
前記蓋４は、図１、２に示したものでは長方形状の平板としており、図３、４に示したものでは長方形状の波板としているが、収納部２の開口２ａに合致する形状であれば特に限定されることはない。また、この蓋４は、電解ユニット３の上面または側面に直接、設けたものとしてもよいが、図に示したように、連結棒１５を介して電解ユニット３の上面または側面に設けたものとすることができる。このように連結棒１５を介したものとすれば、収納部２に電解ユニット３を収納した場合に、適当な収納空間を保つことができ、収納時の遊び等の調節がし易いものとなる。なお、前記蓋４には、図示していないが、開閉操作をし易くするために把手を取り付けたものとしてもよい。
【００２０】
以上に述べたように構成されたこの発明のイオン水生成器は、器本体１の収納部２に電解ユニット３を収納すれば、前記収納部２の給水管挿入孔５、アルカリイオン水吐出管挿入孔６、酸性イオン水吐出管挿入孔７および端子８に、電解ユニット３の給水管１０、アルカリイオン水吐出管１１、酸性イオン水吐出管１２および端子１３がそれぞれ接続されると共に、収納部２のダミー孔９に電解ユニット３の突起１４が嵌まり込み、同時に収納部２の開口２ａに電解ユニット３の蓋４が合致し、前記収納部２の開口２ａが閉鎖されることになる。
【００２１】
また、この発明のイオン水生成器は、収納部２の開口２ａの蓋４を開放すれば、前記収納部２の給水管挿入孔５、アルカリイオン水吐出管挿入孔６、酸性イオン水吐出管挿入孔７および端子８から、電解ユニット３の給水管１０、アルカリイオン水吐出管１１、酸性イオン水吐出管１２および端子１３がそれぞれ外されると共に、収納部２のダミー孔９から電解ユニット３の突起１４が抜け、電解ユニット３が自由な状態となり、収納部２から電解ユニット３を取り出すことができ、この電解ユニット３を新しいものに交換することができる。
【００２２】
なお、この発明のイオン水生成器において、図１、２に示した実施形態のものは、器本体１の収納部２に電解ユニット３を収納する場合、収納部２の開口２ａに電解ユニット３を位置合わせすれば電解ユニット３の自重により収納されることになり、これにより前記収納部２の開口２ａも閉鎖されることになるので、より操作性に優れたものとなる。
【００２３】
【発明の効果】
この発明のイオン水生成器は、以上に述べたように構成されているので、器本体の収納部に電解ユニットを収めると同時にこの収納部の蓋が閉められ、器本体の収納部の蓋を開くと同時に電解ユニットを取り出すことができるものとなり、操作性が良く非常に便利なものなった。
【図面の簡単な説明】
【図１】この発明のイオン水生成器の一実施形態を示しており、器本体から電解ユニットを取り出した状態の斜視図である。
【図２】図１に示すこの発明のイオン水生成器の器本体から電解ユニットを取り出した状態を一部断面して示す側面図である。
【図３】この発明のイオン水生成器の他の実施形態を示しており、器本体から電解ユニットを取り出した状態の斜視図である。
【図４】図３に示すこの発明のイオン水生成器の器本体から電解ユニットを取り出した状態を一部断面して示す側面図である。
【図５】従来のイオン水生成器の一例を示す斜視図である。
【符号の説明】
１  器本体
２  収納部
２ａ  開口
３  電解ユニット
４  蓋
【図１】
2004160410.tif 000003
【図２】
2004160410.tif 000004
【図３】
2004160410.tif 000005
【図４】
2004160410.tif 000006
【図５】
2004160410.tif 000007